(57)【要約】      （修正有）【課題】入院中の患者の身の回り品を保管しうる人体支持装置を提供する。【解決手段】人体支持装置１０は、フレーム、エンドボードＥＢ１、サイドレール２４、および取り外し可能なモジュール５８を含みうる。フレームはその上に人を支持するよう構成される。エンドボードはフレームに結合される。サイドレールはフレームに結合される。サイドレールは、第１表面および第２表面を有するサイドレール体３２を含む。第１表面はフレームに面し、第２表面はフレームから反対の方向に面する。取り外し可能なモジュールはエンドボードおよびサイドレールのうち少なくとも１つに結合するよう構成される。取り外し可能なモジュールは、筐体および格納領域を画成する筐体への開口部を含む。格納領域は、その中に入れられた布を取り出すこと、およびその中に入れられた一つ以上の物体を取り出し可能に保持することのうち少なくとも１つを行える。【選択図】図１
2011036650.tif 000002
【特許請求の範囲】
【請求項１】
人をその上に支持するよう構成されたフレーム１６と、
前記フレーム１６に結合されるエンドボードＥＢ１と、
前記フレーム１６に結合されるサイドレール２４と、
前記エンドボードＥＢ１および前記サイドレール２４のうち少なくとも一つに結合するよう構成された取り外し可能なモジュール５８とを備え、
前記サイドレールは第１表面３６および第２表面３８を有するサイドレール体３２を含み、前記第１表面３６は前記フレーム１６の方に面し、前記第２表面３８は前記フレーム１６とは反対に面し、
前記取り外し可能なモジュール５８は、格納領域を画成する筐体６０への開口部６２を備えた筐体６０を含み、前記格納領域は少なくとも一つの側面と底面とを含み、前記格納領域は、その中に入れられた布を出すこと、および、その中に入れられた物体を取り出し可能に保持することのうちの少なくとも１つを行うよう構成される、
人体支持装置１０。
【請求項２】
前記取り外し可能なモジュールが前記サイドレールに結合されているときの前記サイドレールの全体厚さは、約７．６２センチメートル（約３インチ）未満である、請求項１に記載の人体支持装置１０。
【請求項３】
前記取り外し可能なモジュール５８は、保持部６８および係合表面７０を有する結合部分ＣＰ１を含み、前記保持部６８および前記係合表面７０は、前記取り外し可能なモジュール５８を前記サイドレール２４に結合させるよう前記サイドレール２４の一部と協働する、請求項１に記載の人体支持装置１０。
【請求項４】
前記保持部６８は、前記取り外し可能なモジュール５８を前記サイドレール２４に結合する締まりばめを提供する、請求項３に記載の人体支持装置１０。
【請求項５】
前記係合表面７０の一部は、前記サイドレール２４上のグリップ４６の一部の輪郭に合うような形とされる、請求項３に記載の人体支持装置１０。
【請求項６】
前記取り外し可能なモジュール５８は、その中に少なくとも一つの身の回り品ＰＢ１を受容し、取り出し可能に保持するよう構成される、請求項１に記載の人体支持装置１０。
【請求項７】
前記布は、抗菌性拭き取り用繊維である、請求項１に記載の人体支持装置１０。
【請求項８】
前記取り外し可能なモジュール５８は、前記サイドレール２４のドッキング部分４４と取り外し可能に結合するよう構成される、請求項１に記載の人体支持装置１０。
【請求項９】
前記ドッキング部分４４は、前記サイドレール体３２の前記第１表面３６および前記第２表面３８のうちの１つに配置される、請求項９に記載の人体支持装置１０。
【請求項１０】
前記サイドレール２４は、前記サイドレール体３２を通る開口部４８を含み、前記取り外し可能なモジュール５８は、前記取り外し可能なモジュール５８を前記サイドレール２４に取り外し可能に結合するよう、前記開口部４８に挿入され、前記開口部４８の周囲縁の一部が摩擦的に係合するよう構成される、請求項１に記載の人体支持装置１０。
【請求項１１】
前記開口部４８は、グリップ４６と前記サイドレール体３２の間に位置するグリップ開口部４８である、請求項１０に記載の人体支持装置１０。
【請求項１２】
前記取り外し可能なモジュール５８は、前記開口部６２の少なくとも一部から延在する保持要素６４を含み、前記保持要素６４は、前記取り外し可能なモジュール５８の中に少なくとも一つの物体を取り外し可能に保持するよう構成される、請求項１に記載の人体支持装置１０。
【請求項１３】
前記保持要素６４は、前記保持要素６４が前記開口部６２の下部分および前記開口部６２の上部分を画成するよう、前記格納領域の前記底面から離間している、請求項１２に記載の人体支持装置１０。
【請求項１４】
前記筐体６２は、前記サイドレール２４から前記取り外し可能なモジュール５８を吊るすよう構成されたハンガーを備えた結合部分ＣＰ１を含む、請求項１に記載の人体支持装置１０。
【請求項１５】
前記布は、抗菌性拭き取り用繊維である、請求項１に記載の人体支持装置１０。
【請求項１６】
前記取り外し可能なモジュール５８は、その中に身の回り品ＰＢ１および介護者のもののうち少なくとも一つを受容し、取り出し可能に保持するよう構成される、請求項１に記載の人体支持装置１０。
【請求項１７】
第１表面３６、第２表面３８、および略第１表面３６と略第２表面３８の間に延在する第３表面４０を有するサイドレール体３２を含み、前記第１表面３６は前記第１表面３６が前記フレーム１６の方向に面するよう方向付けられ、前記第２表面３８は前記第２表面３８が前記フレーム１６とは反対の方向に面するように方向付けられ、前記第１表面３６、前記第２表面３８、および前記第３表面４０のうち少なくとも一つはその中に一体化されたドッキング部分４４を有する、サイドレール２４と、
格納領域を画成するようその中に開口部６２を含む筐体６０、および、取り外し可能なモジュール５８を前記ドッキング部分４４に取り外し可能に結合するよう構成される結合部分ＣＰ１を含む、取り外し可能なモジュール５８とを備え、
前記格納領域は底面および少なくとも一つの側面を含み、前記格納領域はその中に少なくとも一つの物体を受容し、取り出し可能に保持するよう構成される、
サイドレール組立体。
【請求項１８】
前記格納領域は、布を出せるよう構成される、請求項１７に記載のサイドレール組立体。
【請求項１９】
前記布は、抗菌性拭き取り用繊維である、請求項１８に記載のサイドレール組立体。
【請求項２０】
前記取り外し可能なモジュール５８は、前記開口部６２の少なくとも一部にわたって延在する保持要素６４を含み、前記保持要素６４は前記取り外し可能なモジュール５８の中に少なくとも一つの物体を取り出し可能に保持するよう構成される、請求項１７に記載のサイドレール組立体。
【請求項２１】
前記結合部分ＣＰ１は、前記取り外し可能なモジュール５８を前記サイドレール２４に取り外し可能に結合させるべく前記サイドレール２４の一部に結合するよう構成される保持部６８を含む、請求項１７に記載のサイドレール組立体。
【請求項２２】
前記取り外し可能なモジュール５８は、その中に身の回り品ＰＢ１および介護者のもののうち少なくとも一つを受容し、取り出し可能に保持するように構成される、請求項１７に記載のサイドレール組立体。
【請求項２３】
サイドレール体３２およびグリップ部分４２を有し、前記グリップ部分４２は、グリップ４６および前記グリップ４６と前記サイドレール体３２の間に位置するグリップ開口部４８を含む、サイドレール２４と、
前記グリップ部分４０と前記サイドレール体３２の間で前記サイドレール２４と取り外し可能に結合するよう構成される取り外し可能なモジュール５８とを有し、
前記取り外し可能なモジュール５８は格納領域を画成する開口部６２をその中に有する筐体６０を含み、前記格納領域は底面および少なくとも一つの側面を含み、前記格納領域はその中に少なくとも一つの物体を受容し、取り出し可能に保持するよう構成される、
サイドレール組立体。
【請求項２４】
前記格納領域は、布を出せるよう構成される、請求項２３に記載のサイドレール組立体。
【請求項２５】
前記布は、抗菌性拭き取り用繊維である、請求項２４に記載のサイドレール組立体。
【請求項２６】
前記取り外し可能なモジュール５８が前記サイドレール２４に結合されているときの前記サイドレール２４の全体厚さは、約７．６２センチメートル（約３インチ）未満である、請求項２３に記載のサイドレール組立体。
【請求項２７】
前記取り外し可能なモジュール５８は前記開口部６２の少なくとも一部にわたって延在する保持要素６４を含み、前記保持要素６４は少なくとも一つの物体を前記取り外し可能なモジュール５８内に取り出し可能に保持するよう構成される、請求項２３に記載のサイドレール組立体。
【請求項２８】
前記取り外し可能なモジュール５８は、その中に身の回り品ＰＢ１および介護者のもののうち少なくとも一つを受容し、取り出し可能に保持するように構成される、請求項２３に記載のサイドレール組立体。
【請求項２９】
格納領域を画成する開口部６２を備えた筐体６０と、取り外し可能なモジュール５８を人体支持装置１０のサイドレール２４およびエンドボードＥＢ１のうち少なくとも一つに取り外し可能に結合させるよう構成される結合部分ＣＰ１とを含む取り外し可能なモジュール５８を有し、前記格納領域は底面および前記底面から延びる少なくとも一つの側面を含み、前記格納領域はその中に少なくとも一つの物体を取り出し可能に保持するよう構成される、
人体支持装置用のレトロフィットキット。
【請求項３０】
前記サイドレール２４はグリップ部分４２を備えたサイドレール体３２を含み、前記グリップ部分はグリップ４６およびグリップ開口部４８を含み、前記結合部分ＣＰ１は前記グリップ開口部４８内に前記取り外し可能なモジュール５８を取り外し可能に保持するよう構成される、請求項２９に記載のレトロフィットキット。
【請求項３１】
前記サイドレール２４は第１表面と第２表面を含み、前記取り外し可能なモジュール５８の少なくとも一部は、前記サイドレール２４および前記取り外し可能なモジュール５８の合計の厚さが約７．６２センチメートル（約３インチ）未満であるよう、前記サイドレール２４の前記第１表面および前記第２表面のうち少なくとも一つから延びる、請求項２９に記載のレトロフィットキット。
【請求項３２】
前記取り外し可能なモジュール５８は前記開口部６２の少なくとも一部にわたって延在する保持要素６４を含む、請求項２９に記載のレトロフィットキット。
【請求項３３】
前記取り外し可能なモジュール５８はその中に身の回り品ＰＢ１および介護者のもののうち少なくとも一つを受容し、取り出し可能に保持するよう構成される、請求項２９に記載のレトロフィットキット。
【発明の詳細な説明】
【技術分野】
【０００１】
＜関連する出願への相互参照＞
本願は、２００９年７月１５日に出願された「格納領域を備えたサイドレール」なる名称の米国仮出願第６１/２２５,９２１号に基づき優先権を主張するものであり、その内容を本明細書に援用する。
【０００２】
＜技術分野＞
本開示は、概して人体支持装置に関連する。より詳細に、しかし限定的でなく、１つの例示的な実施例は、取り外し可能な格納領域を備えたサイドレールを含む人体支持装置に関連する。
【背景技術】
【０００３】
入院中の患者は、多くの場合、身の回り品を持参する。身の回り品は、介護者が集め、その患者が退院するまで、または必要とするまで保管されうる。身の回り品は、例えば、ロッカー、収納用ケース、引き出し、および／または患者の病室番号などの識別情報を記載した袋、ならびに／あるいは品目リストおよび／またはケース、ロッカー、または袋番号および／または患者のカルテに記載された場所などの格納領域に保管されうる。また、割り当てられた部屋の中（例えば、様々な棚や引き出しおよび／またはクローゼットなどの他の家具にある格納領域）に、身の回り品や他の物を保管する格納領域を提供することもできる。様々な人体支持装置が開発されてきたが、未だ改善の余地がある。従って、この技術分野における更なる寄与が必要とされている。
【発明の概要】
【課題を解決するための手段】
【０００４】
本発明の開示には、添付の請求の範囲に詳述されている一つ以上の特徴および／または単独または任意の組み合わせで、特許性のある主題を含み得る、以下の特徴が含まれる。  
本開示の１つの例示的な実施例は、その中に一つ以上の物体を受容し、取り出外し可能に保持することができるよう構成された取り外し可能な格納領域を備えたサイドレールを含み得る。  
更なる特徴は、単独で、または上記のものおよび請求項に記載されているものおよび以下に詳述されているものを含め、その他の任意の特徴との組み合わせで、特許性のある主題を含み得る。その他は、現在認識されている本発明を実施する最良の形態を例証している例示的な実施例の以下の詳細な説明を鑑みることで、当業者に明らかとなろう。
【図面の簡単な説明】
【０００５】
【図１】１つの例示的な実施例による人体支持装置のフレームに結合されたサイドレールを備えた人体支持装置の側面斜視図である。
【図２】１つの例示的な実施例による取り外し可能なモジュールを含む、図１のサイドレールの側面斜視図である。
【図３】他の例示的な実施例による取り外し可能なモジュールを含む、図１のサイドレールの側面斜視図である。
【図４】更なる他の例示的な実施例による取り外し可能なモジュールを含む、図１のサイドレールの側面斜視図である。
【図５】１つの例示的な実施例による格納領域となるよう構成された、図２の取り外し可能なモジュールの正面斜視図である。
【図６】１つの例示的な実施例による布用ディスペンサーとなるよう構成された、図２の取り外し可能なモジュールの正面斜視図である。
【図７】保持部および係合表面を示す、図２の取り外し可能なモジュールの側面図である。
【図８】保持部および係合表面を示す、図２の取り外し可能なモジュールの底面斜視図である。
【発明を実施するための形態】
【０００６】
次に、図面の図解例では、同様の番号は全体を通して、同じまたは同様の要素を表す。
【０００７】
本開示は様々な形をとりうるが、本開示の原理の理解を促すため、ここで図示の実施例を参照することとし、これを説明するために特定の文言を用いるものとする。それにより本開示の範囲を制限することを意図するものではない。ここに記載の通り、様々な変更、記載された実施例の更なる修正、および本開示の原理の更なる適用が考えられる。
【０００８】
本開示の１つの例示的な実施例は、その中に一つ以上の物体を受容し、取り出し可能に保持することができるように構成された取り外し可能な格納領域を備えたサイドレールを含み得る。
【０００９】
本開示の１つの例示的な実施例に基づく人体支持装置１０は、図１に示されている。人体支持装置１０は、人の頭を置くことができる第１セクションＦ１すなわち頭部支持セクションＦ１と、人の足を乗せることができる第２セクションＳ１すなわち足支持セクションＳ１とを有しうる。１つの例示的な実施例において、人体支持装置１０は病院用ベッドであり得る。人体支持装置１０は、病院用担架または手術台でもあり得ることが理解されるべきである。人体支持装置１０は、下フレーム１２すなわちベース１２、下フレーム１２と結合された複数のサポート１４、および下フレーム１２の上方でサポート１４上に支持されている上フレーム１６とを含みうる。サポート１４は、下フレーム１２に対して上フレーム１６を移動させうる昇降機構１４であり得ることが理解されるべきである。また、１つの例示的な実施例において人体支持装置１０は、その上に人体支持表面１８を支えることができることが理解されるべきである。
【００１０】
上フレーム１６は、図１に示すように、中間フレーム２０、デッキ２２、およびサイドレール２４を含みうる。また上フレーム１６は、例えば、人体支持装置の第１セクションＦ１および第２セクションＳ１に結合された、ヘッドボードＨＢ１およびフットボードＦＢ１などのエンドボードＥＢ１を含みうることが理解されるべきである。中間フレーム２０は、図１および図２に示すように、サポート１４と結合されえ、その上にデッキ２２を支えることができる。デッキ２２は、頭部分２６、座部分２８、および足部分３０を含みうる。頭部分２６、座部分２８、および足部分３０は、相互に、および／または、中間フレーム２０と、移動可能に結合されうる。
【００１１】
図１乃至図４に示すように、サイドレール２４は、上部分ＳＴ１および下部分ＳＢ１を備えたサイドレール体３２と、サイドレール連結部３４とを含みうる。１つの例示的な実施例において、サイドレール２４は、約３．８１センチメートル（約１.５インチ）乃至約５．０８センチメートル（約２インチ）の厚さＴＳ１を有しうる。サイドレール２４は、約７．６２センチメートル（３インチ）未満の厚さＴＳ１を有しうることが理解されるべきである。サイドレール連結部３４は、サイドレール体３２の下部分ＳＢ１に結合されえ、サイドレール２４をデッキ２２および／または中間フレーム２０に結合することができる。１つの例示的な実施例において、図１に示すように、サイドレール２４はデッキ２２の頭部分２６（言い換えると、第１サイドレール２４ａすなわち頭部サイドレール２４ａ）に結合されえ、および／または、デッキ２２の足部３０および／または中間フレーム２０（言い換えると、第２サイドレール２４ｂすなわち足部サイドレール２４ｂ）に結合されうる。
【００１２】
サイドレール連結部３４は、展開／動作時の位置と格納位置との間でサイドレール２４の動きを容易にするよう構成することができる。図１に示すように、展開／動作時の位置の場合、サイドレール２４の少なくとも一部が上フレーム１６の上になるようにすることができる。格納時の位置の場合、サイドレール２４は、サイドレール２４の少なくとも一部が展開／動作時の位置よりも下になるように、より低い位置へ移動されうる。サイドレール連結部３４は、ロックした場合にサイドレール２４を動作時および／または格納時の位置の何れかに保つことができ、ロックされていない場合には動作時の位置と格納時の位置との間でサイドレール２４の動作を容易にできるロック機構（図示せず）含みうることが理解されるべきである。
【００１３】
図１乃至図４に示すように、サイドレール体３２は、第１表面３６、第２表面３８、第１表面３６と第２表面３８の間に延在する側面４０、グリップ部分４２、およびドッキング部分４４を含みうる。サイドレール２４は、人体支持装置１０の様々な機能を制御するために操作可能な介護者インターフェイス（図示せず）を含みうることが理解されるべきである。第１表面３６および第２表面３８の少なくとも一部は、相互に実質的に平行でありうる。第１表面３６は、第１表面３６が上フレーム１６の方向に面するように方向付けることができ、第２表面３８は、第２表面３８が上フレーム１６とは反対の方向に面するように方向付けることができる。
【００１４】
図１乃至図４に示すように、グリップ部分４２は、人体支持装置１０からの出入りを助けるべくその人によって把持されるよう構成することができる。１つの例示的な実施例において、グリップ部分４２は上部分ＳＴ１に沿って配置されえ、グリップ４６およびグリップ開口部４８を含みうる。グリップ開口部４８は、サイドレール体３２を通ってもよく、人が自分の指／手の少なくとも一部でグリップ４６の回りをつかむことができるように構成することができる。グリップ部分４２は、人が自分の指でグリップ４６の回りを部分的につかむことができるようにグリップ開口部４８内に配置されうるグリップ開口部カバー（図示せず）またはネット（図示せず）を含みうることが理解されるべきである。１つの例示的な実施例において、グリップ開口部４８の上部分はグリップ４６の底面を画成でき、グリップ開口部４８の上部分とは反対側のグリップ開口部４８の下部分は上部側面４０ａの一部を画成できる。
【００１５】
ドッキング部分４４は、図１に示すように、サイドレール体３２の中へと凹んでいることができ、ドッキング部分のベース５２、ドッキング部分の背部５４、およびドッキング部分の側面５６を含みうる。ドッキング部分４４をサイドレール体３２から延びうることが理解されるべきである。同様に、ドッキング部分４４は、サイドレール体３２の中へと凹み、サイドレール体３２から延びている部分を含み得ることが理解されるべきである。１つの例示的な実施例において、ドッキング部分の背部５４は、サイドレール２４の第１表面３６から約１．９１センチメートル（約０.７５インチ）乃至約２．５４センチメートル（約１インチ）だけサイドレール体３２の中へと凹むことができ、ドッキング部分のベース５２から上側面４０ａへ延びる約１６．５１センチメートル（約６.５インチ）乃至約１７．７８センチメートル（約７インチ）の幅と約８．８９センチメートル乃至約１０．１６センチメートル（約３.５インチ乃至４インチ）の高さを有することができる。他の例示的な実施例において、ドッキング部分４４はサイドレール２４の第２表面３８から約１．９１センチメートル乃至約２．５４センチメートル（約０.７５インチ乃至１インチ）だけサイドレール体３２に埋め込むことができ、ドッキング部分のベース５２から上側面４０ａへ延びる約１６．５１センチメートル（約６.５インチ）乃至約１７．７８センチメートル（約７インチ）の幅と約８．８９センチメートル乃至約１０．１６センチメートル（約３.５インチ乃至４インチ）の高さを有することができる。更なる他の例示的な実施例において、ドッキング部分４４は、ドッキング部分の側面５６が第１表面３６と第２表面３８の間に位置することができ、ドッキング部分の底部５２が約８．８９センチメートル（約３.５インチ）乃至約１０．１６センチメートル（約４インチ）だけ上側面４０ａから凹むことができるよう、第１表面３６と第２表面３８の間でサイドレール体３２の中へと凹むことができる。さらにまた他の例示的な実施例において、ドッキング部分４４は、エンドボードＥＢ１のうち少なくとも一つの中へと凹み、および／または、少なくとも１つから延びることができる。ドッキング部分４４の高さ、幅、奥行きは、上述の値よりも大きくまたは少なくできることが理解されるべきである。また、ドッキング部分４４は、頭部サイドレール２４ａ、足部サイドレール２４ｂ、および／またはエンドボードＥＢ１上に配置できることが理解されるべきである。さらに、サイドレール体３２は、その上に一つ以上のドッキング部分４４を含みうることも理解されるべきである。
【００１６】
図１乃至図４に示すように、取り外し可能なモジュール５８は、サイドレール２４に取り外し可能に結合されうる。取り外し可能なモジュール５８は、少なくとも一つのエンドボードＥＢ１に取り外し可能に結合されうることが理解されるべきである。１つの例示的な実施例において、取り外し可能なモジュール５８の少なくとも一部は、図２に示すように、サイドレール２４のドッキング部分４４の中に受容され、取り出し可能に保持されうる。他の例示的な実施例において、図１および図３乃至図４に示すように、取り外し可能なモジュール５８は、グリップ開口部４８へ圧入され、または、はめ込まれるよう構成することができる。取り外し可能なモジュール５８は、圧入した、または、はめ込んだ方向と反対の方向へ押すか、または引っ張ることで取り外すことができることが理解されるべきである。さらにまた他の例示的な実施例において、取り外し可能なモジュール５８は、少なくとも一つのエンドボードＥＢ１と結合されうるように構成することができる。また他の実施例において、取り外し可能なモジュール５８は、ハンガー、フック、クランプ、およびねじ、インターロック部材、または他の締め具要素などの締め具（図示せず）などを使用して、サイドレール２４および／またはエンドボードＥＢ１に結合されうる。取り外し可能なモジュール５８は、概して長方形の形状にされうることが理解されるべきである。また、取り外し可能なモジュール５８は、使い捨てにもできることが理解されるべきである。さらに、取り外し可能なモジュール５８は、抗菌性を有することができることも理解されるべきである。
【００１７】
取り外し可能なモジュール５８は、図５及び図６に示すように異なる目的を果たすように構成することができる。１つの例示的な実施例において、取り外し可能なモジュール５８は、手が届くところに身の回り品を格納するよう構成されうる格納モジュール５８であってもよく、それにより介護者が患者の身の回り品を取りに行くために費やす時間を減らすことができる。一つ以上の身の回り品は、めがね、宝飾品類、入れ歯、写真、音楽を聴くための装置、ヘッドホン、携帯電話、雑誌、本、個人用システム手帳、ペン／鉛筆、ティッシュ、洗面用具、または他の個人用電子機器、身の回り品または物体のうちの少なくとも一つであるか、少なくとも一つを含み得る。一つ以上の身の回り品は、医療診断機器、薬剤、処置または薬剤投与用の機器、注射器、包帯、記録用具、ペン／鉛筆、他の介護者用器具、装置、用具などの介護者のものも含み得る。他の実施例において、取り外し可能なモジュール５８は、図６に示すようにティッシュまたは抗菌性拭き取り用繊維用のディスペンサーとすることもできる。特定のサイドレール２４の特定寸法の開口部に合うように特に形成された取り外し可能なレトロフィットモジュール５８を提供することは、本開示の範囲内である。１つの例示的な実施例において、取り外し可能なモジュール５８は、既存のサイドレール２４の任意の開口部の寸法および形状に対応するような寸法および形状とすることができる。例えば、取り外し可能なモジュール５８は、グリップ４６および上側面４０ａの形に概して従うよう構成されうる。このようなレトロフィット用の取り外し可能なモジュール５８は、それらのために作られた特定のサイドレール２４の開口部内に締まりばめを提供するような寸法および形状にもできる。
【００１８】
取り外し可能なモジュール５８は、図７および図８に示すように、正面部分ＦＰ１と結合部分ＣＰ１とを備えた筐体６０を含み得る。筐体６０は、ポリマー材から形成されうる。正面部分ＦＰ１は、取り外し可能なモジュール５８から取り出すことができる身の回り品や布の格納領域への開口部６２と、保持要素６４とを含み得る。正面部分ＦＰ１は、図７及び図８に示すように、約１．２７センチメートル（約０.５インチ）の厚さＴＭ１を有するよう構成することができる。正面部分ＦＰ１の少なくとも一部が取り外し可能とされうることが理解されるべきである。
【００１９】
保持要素６４は、図１乃至図８に示すように、取り外し可能なモジュール５８内に身の回り品または他の物体を保持するよう構成することができる。１つの例示的な実施例において、保持要素６４は、面ファスナー（フックおよびループファスナー）または輪ゴムなどのストラップまたはバンドのうちの少なくとも一つであるか、または少なくとも一つを含み得る。また他の例示的な実施例において、保持要素６４はカバー（図示せず）であってもよい。カバーの少なくとも一部を透明にすることができることが理解されるべきである。また他の例示的な実施例において、保持要素６４は筐体６０と一体化されうる突起またはフランジ（図示せず）であってもよい。その他の例示的な実施例において、保持要素６４はロッド（図示せず）、ネット（図示せず）、またはその他の固定機構とすることができる。
【００２０】
保持要素６４は、図１乃至図８に示すように、筐体６０中の開口部６２の幅の少なくとも一部にわたって延在するよう構成されうる。１つの例示的な実施例において、保持要素６４は、保持要素６４と開口部６２の周囲縁との間に隙間空間６６があるよう、筐体６０の開口部６２にわたって延在するよう構成することができる。隙間空間６６は、清掃のため格納領域へのアクセスができるよう構成することができる。
【００２１】
結合部分ＣＰ１は、図７及び図８に示すように、保持部６８および係合表面７０を含み得る。結合部分ＣＰ１はグリップ４６の略厚さに等しい厚さＴＣ１を有しうる。取り外し可能なモジュール５８がサイドレール２４に結合されているとき、結合部分ＣＰ１は第１表面３６および第２表面３８のうちの１つを超えて約１．２７センチメートル（約０.５インチ）延びることが理解されるべきである。保持部６８は、筐体６０へ摺動可能または回動可能に結合されえ、延びた位置と引っ込んだまたは圧縮された位置との間で筐体６０に対して移動可能であるばね作動式機構とすることができる。保持部６８は、ラッチ、摩擦ロック、ねじ、吸引式または真空式の保持部、または取り外し可能なモジュール５８をサイドレール２４に結合および解放するように構成されうる他の保持部とし得ることが理解されるべきである。また、取り外し可能なモジュール５８は、取り外し可能なモジュール５８が軌道（図示せず）内に乗るように筐体６０と摺動可能に結合されうることが理解されるべきである。１つの例示的な実施例において、保持部６８は、取り外し可能なモジュール５８の少なくとも一部をドッキング部分４４内に維持するようドッキング部分４４の少なくとも一部と係合することができる。他の例示的な実施例において、取り外し可能なモジュール５８と、グリップ４６及び上側面４０ａとの間に締まりばめを提供することにより、保持部６８は、取り外し可能なモジュール５８をサイドレール２４のグリップ開口部４８内に結合させるよう作用しうる。締まりばめを提供するため、保持部６８は、サイドレール２４のグリップ開口部４８の中で取り外し可能なモジュール５８がユーザーにより配置されうるよう、圧縮位置へ移動されうる。いったん解放されると、ばね（図示せず）は、取り外し可能なモジュールをグリップ開口部４８内に維持するよう、グリップ４６および上側面４０ａの何れかに外向きの力を与えるよう保持部６８を延びたときの位置の方向に付勢することができる。
【００２２】
係合表面７０は、図７及び図８に示すように、グリップ４６および／または上側面４０ａの輪郭に合う形にできる。１つの例示的な実施例において、係合表面７０の少なくとも一部は、グリップ４６の一部に係合するよう曲げられうる。他の例示的な実施例において、係合表面７０の少なくとも一部は、ドッキング部分４４の輪郭に合う形にできる。係合表面７０の一部は、取り外し可能なモジュール５８をグリップ開口部４８内に維持することを助けるよう構成されうるできるフランジ７２を形成しうることが理解されるべきである。係合表面はグリップ４６の厚さと等しい厚さを有することができる。係合表面は、グリップ４６の厚さよりも厚い、または、薄い、厚さを有しうることが理解されるべきである。
【００２３】
本開示の多くの他の実施例も想定されている。例えば、人体支持装置は、フレーム、エンドボード、サイドレール、および取り外し可能なモジュールを含みうる。フレームは、人をその上に支持するよう構成されている。エンドボードはフレームに結合される。サイドレールはフレームに結合される。サイドレールは第１表面および第２表面を有するサイドレール体を含む。第１表面はフレームの方に面し、第２表面はフレームとは反対に面する。取り外し可能なモジュールは、エンドボードおよびサイドレールのうち少なくとも一つに結合するよう構成されている。取り外し可能なモジュールは、筐体と、格納領域を画成する筐体への開口部とを含む。格納領域は、少なくとも一つの側面と底面とを含み、その中に入れられた布を出すこと、および、その中に入れられた一つ以上の物体を取り出し可能に保持することのうち少なくとも１つを行うよう構成されている。
【００２４】
他の例では、人体支持装置は、フレーム、サイドレール、および取り外し可能なモジュールを含む。フレームは、人をその上に支持するよう構成されている。サイドレールはフレームに結合される。サイドレールは第１表面および第２表面を含む。第１表面は、第１表面がフレームの方へ面するような向きとされ、第２表面は、第２表面がフレームとは反対に面するような向きとされている。第１表面および第２表面のうち少なくとも一つは、ドッキング部分を有する。取り外し可能なモジュールは、サイドレールのドッキング部分に結合される。取り外し可能なモジュールは格納領域を画成する開口部を備えた筐体を含む。格納領域は、底面および少なくとも一つの側面を含む。格納領域は、その中に少なくとも一つの物体を受容し、取り出し可能に保持するよう構成されている。
【００２５】
更なる他の例において、サイドレール組立体は、サイドレールおよび取り外し可能なモジュールを具備する。サイドレールは、サイドレール体およびグリップ部分を有する。グリップ部分は、グリップと、グリップとサイドレール体の間に位置するグリップ開口部とを含む。取り外し可能なモジュールは、グリップ部分とサイドレール体の間でサイドレールと取り外し可能に結合するよう構成されている。取り外し可能なモジュールは、格納領域を画成する開口部をその中に有する筐体を含む。格納領域は、底面および少なくとも一つの側面を含む。格納領域は、その中に物体を受容し、取り出し可能に保持するように構成されている。
【００２６】
更なる他の例において、取り外し可能な格納モジュールでサイドレールにレトロフィットを行う方法は、取り外し可能なモジュールをサイドレールに結合する段階と、取り外し可能な格納領域を備えたサイドレールの幅が約７．６２センチメートル（約３インチ）未満であるよう、取り外し可能な格納領域を備えたサイドレールの幅を変更する段階とを含む。
【００２７】
本文中に記載された如何なる理論、操作機構、証拠、または所見も、本開示の原理の理解をさらに深める意味のものであり、本開示を如何なる方法でも当該の理論、操作機構、例示の実施例、証拠、または所見に依存させることを意図していない。上記の記述中において好ましい、好ましくは、好まれるという文言の使用はそのように記された特徴がより望ましいことを示すが、それにもかかわらず必要とされるのではなく、これを欠いた実施例も本発明の範囲内であるとして考慮し、その範囲は以下の請求項により定義されるものとして理解すべきである。「一つの」、「少なくとも一つの」、「少なくとも一部の」などの文言が使用されている場合、請求項に特にそれ以外の記載がない限り、一つの項目のみに請求項を限定する意図は一切ない。「少なくとも一部」および／または「一部」という文言が使用されている場合、特にそれに反する記載がない限り、該項目は一部および／または全項目を含み得る。
【００２８】
選択された実施例のみが図示および記載されており、本明細書で定義されるかまたは以下の任意の請求項により定義されている本開示の精神の範囲内に当たるすべての可能な変形例、変更態様、態様、組み合わせ、原理、バリエーション、および同等物が保護されることが望まれていることが理解されるべきである。本開示の実施例は、図面および前述の記載に図示され詳述されているが、これらは例示的なものとして見做されるべきであり、本開示を網羅すること、または、開示された厳密な形式に限定することを意図してはいない。当業者には付加的な変形例、変更態様、およびバリエーションが明らかとなろう。また、複数の発明の解釈および原理を提示したが、これらは組み合わせで利用される必要はなく、上記の様々な実施例を踏まえ、発明の解釈および原理の様々な組み合わせが可能である。
【図１】
2011036650.tif 000003
【図２】
2011036650.tif 000004
【図３】
2011036650.tif 000005
【図４】
2011036650.tif 000006
【図５】
2011036650.tif 000007
【図６】
2011036650.tif 000008
【図７】
2011036650.tif 000009
【図８】
2011036650.tif 000010
【外国語明細書】
2011036650.tif 000011
2011036650.tif 000012
2011036650.tif 000013
2011036650.tif 000014
2011036650.tif 000015
2011036650.tif 000016
2011036650.tif 000017
2011036650.tif 000018
2011036650.tif 000019
2011036650.tif 000020
2011036650.tif 000021
2011036650.tif 000022
2011036650.tif 000023
2011036650.tif 000024
2011036650.tif 000025
2011036650.tif 000026
2011036650.tif 000027
2011036650.tif 000028
2011036650.tif 000029
2011036650.tif 000030
2011036650.tif 000031
2011036650.tif 000032
2011036650.tif 000033
2011036650.tif 000034
2011036650.tif 000035
2011036650.tif 000036
2011036650.tif 000037